(57)【要約】【課題】従来の係止機能を備えたスラックス等は、歩行時に、膝の動きや腹部の収縮膨張による動きにより、スラックス等がずり落ちてくる。【解決手段】  本発明のスラックス等は、当該スラックス等の内側身体腸骨稜ラインの位置に係止させる機能を備えることにより、着用歩行時にスラックス等がずり落ちることなく、またこのずり落ちることを防止することによりスラックス等の下に入れているシャツ（ワイシャツ等）の裾がはみ出ることなく着崩れをおこすことなく快適に装着できるという利点である。【特許請求の範囲】
【請求項１】
股部を有する衣類内側に、身体腸骨稜ラインの位置に係止させる機能を有することを特徴とする股部を有する衣類。
【発明の詳細な説明】
【技術分野】
【０００１】  本発明は、ずり落ちないように身体に係止する機能を有する股部を有する衣類に関する。
【背景技術】
【０００２】  股部を有する衣類（スラックス、パンツ、カルソンパンツ、タイツ、スパッツ、キュロットスカート、パンタロン、パンタクール、ユニタード、ジャンプスーツ等をいい、以下総称してスラックス等という場合がある。）例えばスーツのスラックス等において、スラックス等を身体に係止させる方法としては、スラックス等のウエストライン（スラックス等の上端（はき口）部をいい、ＪＩＳＬ０１１．２００３  衣料のための身体用語に定める定義をいい、以下同様とする。）に革ベルトや紐等による方法またはゴムテープなどの縫製による方法が用いられている。【０００３】  特許文献１には、ズボンとか、スカートなどの胴回りの長さを簡単に増減できるように長さの調節方向すなわち水平方向に、噛み合わせよう歯を備えたテープ５を設けウエスト周りを調整する方法が提案されている。【０００４】  特許文献２には、シャツ類とパンツ類の双方の衣類の体の腰の部位にずり上がり、ずり落ち防止の為、摩擦抵抗の大きい面ファスナー等を取りつけた衣類が提案されている。【０００５】  特許文献３には、平ゴム紐に面ファスナーを縫い付け、平ゴム紐の緊縮力でワイシャツ、ブラウスのズリ上がりを予防する内ベルトが提案されている。【０００６】  特許文献４には、伸縮性を有するベルト本体と、該ベルト本体の長手方向適所に設けられた長さ調節手段と、ベルト本体の両端部を互いに連結・解除可能とする連結手段とを有していることを特徴とする腰ベルトおよび当該腰ベルトが装着された衣類が提案されている。【０００７】
【特許文献１】特開２００３−２１３５０４号公報
【特許文献２】登録実用新案登録第３０１５４０１号公報
【特許文献３】実用新案登録第３０８７０３６号公報
【特許文献４】特開２０００−２５６９１０号公報
【発明の開示】
【発明が解決しようとする課題】
【０００８】  解決しようとする課題は、従来の係止機能を備えたスラックス等は、歩行時に、膝の動きや腹部の収縮膨張による動きにより、スラックス等がずり落ちてくる。これは従来の係止機能は、スラックス等のウエストラインに革ベルト、ゴム帯又は紐等で腹部を締めつけてスラックス等を係止するようになっているからである。【０００９】  特にこのずり落ち傾向は股上の深いスラックスに強くあらわれ、更に腹部が出ている中高年層用のスラックス等においてより強くあらわれる。このスラックス等のずり落ちにより装着スタイルが悪くなるばかりでなく、スラックス等の下に入れているシャツ（ワイシャツ等）の裾がはみ出でて、みっともない格好を呈することとなる等の問題が起こり、着用者にスラックス等の係止に対する不満足感や着用時の不快感や違和感を与えている点である。
【課題を解決するための手段】
【００１０】  本発明は、上記のような問題点を鑑みて為されたものであり、その目的とするところは、スラックス等の内側に、身体腸骨稜ラインの位置に係止させる機能を有することを最も主要な特徴とする。別の言い方をすれば、スラックス等のウエストラインの係止機能に加えて、スラックス等の内側に、身体腸骨稜ラインの位置に係止させる機能を有するスラックス等を提供することを目的とする。なお、本発明でいう身体腸骨稜ラインとは、ＪＩＳＬ０１１１．２００３  衣料のための身体用語に定義される腸きよく腹囲から下胴囲の間のラインをいう。【００１１】  従来のスラックス等は、肋骨の下端部と腸骨との中間にウエストラインを設け、この箇所で身体に係止している。この係止位置は、スラックス等のずり落ち防止という意味合いにおいて必ずしも最適な位置ではない。なぜならば、この箇所は柔らかい部分であり、お腹の動きが大きく影響する箇所で安定した係止位置とはいい難が、しかしできるだけ脚を長く見せたいという心理からスラックス等のウエストラインを腸骨稜ラインに設定できないのであった。【００１２】  また、装着者の体形は痩せ型、下半身肥満型（洋ナシ型）又は上半身肥満型等さまざまであり、このさまざまな体形に対しスラックス等のウエストラインで革ベルト等で締め付けて係止することは、スラックス等の装着時の姿が、装着者の体形に依存することとなり必ずしもよいスタイルを形成していることとはなっていない。
【発明の効果】
【００１３】  本発明のスラックス等は、当該スラックス等の内側身体腸骨稜ラインの位置に係止させる機能を備えることにより、着用歩行時にスラックス等がずり落ちることなく、またこのずり落ちることを防止することによりスラックス等の下に入れているシャツ（ワイシャツ等）の裾がはみ出ることなく着崩れをおこすことなく快適に装着できるという利点である。【００１４】  また、本発明のスラックス等の二次的効果として、身体腸骨稜ラインの位置に係止させる機能を備えているので、体形に関係なくスラックス等の股上寸法を任意に選ぶことができる点である。更に本発明のスラックス等はスラックス等のウエストラインに設けられた革ベルト等の係止機能に頼ることなくずり落ちを防止できるのでこのウエストラインの革ベルト等を強く締め付ける必要が無いので腹回りの圧迫感がなく装着者は快適な履き心地が得られ、且ついつも着崩れせずスッキリしたスタイルを保つことができる。
【発明を実施するための最良の形態】
【００１５】  本発明では、上記目的を達成するために、次の技術的手段を講じた。即ち、本発明に係る身体腸骨稜ラインの位置に係止させる機能を備えるとは、ゴムなどの伸縮性材料により形成された部分を部分的に又は全体的に有するか若しくはゴムなどの伸縮性材料により形成された部分を有さないベルト状の本体と、このベルト状の本体の長手方向適所に設けられた長さ調整手段と、ベルト状の本体の両端部を互いに連結・解除可能とする連結手段とを有するベルト（以下本ベルトと称する）と、この本ベルトをスラックス等の内側に係留する手段を講じる。この係留する手段としてはベルト通しとしてもよく、このベルト通し部の位置は、本ベルトを装着者身体腸骨稜ラインの位置に装着したときにスラックス等が適切な位置に装着できるようになっていればよい。【００１６】  このベルト通し部は袋状に縫製されたベルト通し部であってもよく、またひも状のわっかを数箇所に縫製したものでもよく、更に本ベルトを直接スラックス等の内側に取り付けてもよい。これにより身体腸骨稜ラインの位置に係止させた本ベルトから吊り下げる状態でスラックス等を係止することができ、この係止位置から上部のスラックス部分はスラックス等のウエストラインに設けたベルト通しを介して革ベルト等による従来の方法で装着することができる。【００１７】  前記のように身体腸骨稜ラインの位置に係止させた本ベルトから吊り下げる状態でスラックス等を係止し、この係止位置より上部の部分についてはスラックス等のウエストラインに設けたベルト通しを介して革ベルト等従来の方法で身体の胴部に装着する方法では、スラックス等を係止する機能が２箇所に設けられており係止する力が分散されて、特に胴部（腹部）を強く締め付けなくてすむので快適に装着することができ、またシャツ等のずり上がりを防止することができる。【００１８】  上記と異なる実施形態としては、本ベルトにスラックスを持ち上げるように剛性のある芯材（皮、合成樹脂製等の素材を含む）の下端を取り付けもう一方の上端をスラックス等のウエストライン内側に取り付る方法によって達成され、これにより身体腸骨稜ラインの位置に係止させた本ベルトから持ち上げる状態でスラックス等を身体の胴部に装着することができる。【００１９】  更に異なる実施形態として、スラックスのシックもしくは腰裏布からスラックスのウエストベルト内側にヒップを包み込むように伸縮性布を縫製し、この伸縮性布には、本件スラックスのウエストライン内側から身体腸骨稜ラインの位置を下端として両脇に伸縮性材料により形成されたベルトをそれぞれ１本づつ取り付け、当該ベルトの長手方向の一端（取り付けた他方の一端）に、長さ調節及びそれぞれの端を脱着出来るように面ファスナー等ををそれぞれの端に設けることにより達成される。この伸縮性布は、通気性のある布を用い、及び／又はヒップ全体を包み込むのでない部分的に用いるのが通気性、清涼性から好ましい。
【実施例１】
【００２０】  市販の既製衣料品（ＪＩＳＬ４００４  表７  ＡＢ体形  ９８ＡＢ５サイズ）のスラックス（以下本件スラックスという。）を用いて本発明の実施を行なった。
伸縮性材料により形成された幅４ｃｍ、長さ１０５ｃｍのベルトを用いた。当該ベルトの長手方向方向の両端には、長さ調節及び両端をワッカ状に係止出来るように面ファスナーのオス、メスをそれぞれの両端に設けられている。このベルト（以下本実施例では本件ベルトという。）を本件スラックスのウエストライン内側から下方７ｃｍの位置（身体腸骨稜ラインの位置）を下端として本件ベルトを縫製により取り付けた。縫製は後ろ見ごろのみとし、前身ごろには縫製しなかった。【００２１】  本実施例のスラックスを、成人男性（身長１７０ｃｍ、チェスト回り９８ｃｍ、ウエスト回り８８ｃｍ）が装着したところ、スラックス等を係止する機能が２箇所に設けられており係止する力が分散されて、特に胴部（腹部）を強く締め付けなくてすもので快適に装着することができ、またシャツ等のずり上がりを防止することができ、スラックスウエストラインに設けたベルト通しを介した革ベルトを強く締め付ける必要が無いので腹回りの圧迫感がなく装着者は快適な履き心地が得られ、且ついつも着崩れせずスッキリしたスタイルを保つことができた。
【実施例２】
【００２２】  実施例１で用いたのと同様のスラックス（ＪＩＳＬ４００４  表７  ＡＢ体形  ９８ＡＢ５サイズ）を用いた。このスラックスのシックからスラックスのウエストベルト内側にヒップを包み込むように伸縮性布（スパンデックス製のネット布）を縫製し、この伸縮性布には、本件スラックスのウエストライン内側から下方７ｃｍの位置（身体腸骨稜ラインの位置）を下端として両脇に伸縮性材料により形成された幅４ｃｍ、長さ５０ｃｍのベルトをそれぞれ１本づつ取り付けた。当該ベルトの長手方向の一端（取り付けた他方の一端）には、長さ調節及びそれぞれの端を脱着出来るように面ファスナーのオス、メスをそれぞれの端に設けた。【００２３】  本実施例のスラックスを、成人男性（身長１７０ｃｍ、チェスト回り９８ｃｍ、ウエスト回り８８ｃｍ）が装着したところ、スラックスをヒップ全体で保持でき、身体腸骨稜ラインの位置に係止できるものであったので、スラックスウエストラインに設けたベルト通しを介した革ベルトは、必要が無いので腹回りの圧迫感がなく装着者は快適な履き心地が得られ、且ついつも着崩れせずスッキリしたスタイルを保つことができた。
【産業上の利用可能性】
【００２４】  本発明は、ずり落ちないように身体に係止する機能を有する股部を有する衣類の用途に適用できる。